(57)【特許請求の範囲】
【請求項１】
撮影条件記憶手段に記憶されている複数の画像データに基づき表示した複数の見本画像の中から所望する見本画像を使用者に選択させ、選択された見本画像の画像データと対をなして撮影条件記憶手段に記憶されている設定パラメータにより示される動作内容の撮影モードを設定するカメラ装置が使用する前記撮影条件記憶手段に、所定の記録手段に記録されている複数対の前記画像データ及び前記設定パラメータを選択的に記憶させるための装置であって、
前記所定の記録手段に記録されている複数対の前記画像データ及び前記設定パラメータを使用者の要求に応じ選択的に読み出す読み出し手段と、
この読み出し手段により選択的に読み出された設定パラメータ及び画像データを前記撮影条件記憶手段に書き込む書き込み手段と
を備え、
前記読み出し手段は、前記所定の記録手段に前記画像データ及び設定パラメータと対をなして記録されている、前記画像データに基づく見本画像により表される被写体の種別を示す種別データに基づき、所定の種別の被写体に関する複数対の前記画像データ及び設定パラメータを、前記所定の記録手段から選択的に読み出すことを特徴とする撮影条件取り込み装置。
【請求項２】
撮影条件記憶手段に記憶されている複数の画像データに基づき表示した複数の見本画像の中から所望する見本画像を使用者に選択させ、選択された見本画像の画像データと対をなして撮影条件記憶手段に記憶されている設定パラメータにより示される動作内容の撮影モードを設定するカメラ装置が使用する前記撮影条件記憶手段に、所定の記録手段に記録されている複数対の前記画像データ及び前記設定パラメータを選択的に記憶させるための装置であって、
前記所定の記録手段に記録されている複数対の前記画像データ及び前記設定パラメータを使用者の要求に応じ選択的に読み出す読み出し手段と、
この読み出し手段により選択的に読み出された設定パラメータ及び画像データを前記撮影条件記憶手段に書き込む書き込み手段と
を備え、
前記読み出し手段は、前記所定の記録手段に前記画像データ及び設定パラメータと対をなして複数記録され、各々が前記画像データに基づく見本画像により表される被写体の異なる観点に基づく種別をそれぞれ示す複数の種別データに基づき、複数の種別に該当する被写体に関する複数対の前記画像データ及び設定パラメータを、前記所定の記録手段から選択的に読み出すことを特徴とする撮影条件取り込み装置。
【請求項３】
使用者に前記種別を指定させる指定手段を備え、前記読み出し手段は、前記指定手段によって使用者に指定された種別の種別データに対応する前記画像データ及び設定パラメータを、前記所定の記録手段から選択的に読み出すことを特徴とする請求項１又は２記載の撮影条件取り込み装置。
【請求項４】
操作時の日付を取得する取得手段を更に備えるとともに、前記所定の種別が季節に関する種別であって、前記読み出し手段は、前記取得手段により取得された日付から判断される季節と合致する種別の種別データに対応する前記画像データ及び設定パラメータを、前記所定の記録手段から選択的に読み出すことを特徴とする請求項１記載の撮影条件取り込み装置。
【請求項５】
撮影条件記憶手段に記憶されている複数の画像データに基づき表示した複数の見本画像の中から所望する見本画像を使用者に選択させ、選択された見本画像の画像データと対をなして前記撮影条件記憶手段に記憶されている設定パラメータにより示される動作内容の撮影モードを設定するカメラ装置が使用する前記撮影条件記憶手段に、所定の記録手段に記録されている複数対の画像データ及び設定パラメータを選択的に記憶させる方法であって、
前記所定の記録手段に前記画像データ及び設定パラメータと対をなして記録されている、前記画像データに基づく見本画像により表される被写体の種別を示す種別データに基づき、所定の種別の被写体に関する互いに対をなす画像データ及び設定パラメータを検索し、検索した複数対の画像データ及び設定パラメータを前記所定の記録手段から読み出す第１の工程と、
読み出した複数対の画像データ及び設定パラメータを前記撮影条件記憶手段に書き込む第２の工程と
からなることを特徴とする撮影条件取り込み方法。
【請求項６】
前記第１の工程では、前記所定の記録手段に前記画像データ及び設定パラメータと対をなして複数記録され、各々が前記画像データに基づく見本画像により表される被写体の異なる観点に基づく種別をそれぞれ示す複数の種別データに基づき、複数の種別に該当する被写体に関する画像データ及び設定パラメータを検索し、検索した複数対の画像データ及び設定パラメータを前記所定の記録手段から読み出すことを特徴とする請求項５記載の撮影条件取り込み方法。
【請求項７】
前記第１の工程に先立って使用者に前記種別を指定させる事前工程を有し、前記第１の工程では、使用者に指定された種別の種別データに対応する前記画像データ及び設定パラメータを検索し、検索した複数対の画像データ及び設定パラメータを前記所定の記録手段から読み出すことを特徴とする請求項５又は６記載の撮影条件取り込み方法。
【請求項８】
前記所定の種別が季節に関する種別であって、前記第１の工程に先立って操作時の日付を取得する事前工程を有し、前記第１の工程では、他の事前工程で取得した日付から判断される季節と合致する種別の種別データに対応する前記画像データ及び設定パラメータを検索し、検索した複数対の画像データ及び設定パラメータを前記所定の記録手段から読み出すことを特徴とする請求項５，６又は７記載の撮影条件取り込み方法。
【請求項９】
撮影条件記憶手段に記憶されている複数の画像データに基づき表示した複数の見本画像の中から所望する見本画像を使用者に選択させ、選択された見本画像の画像データと対をなして前記撮影条件記憶手段に記憶されている設定パラメータにより示される動作内容の撮影モードを設定するカメラ装置が使用する前記撮影条件記憶手段に、所定の記録手段に記録されている複数対の画像データ及び設定パラメータを選択的に記憶させるためのプログラムであって、
コンピュータに、
前記所定の記録手段に前記画像データ及び設定パラメータと対をなして記録されている、前記画像データに基づく見本画像により表される被写体の種別を示す種別データに基づき、所定の種別の被写体に関する互いに対をなす画像データ及び設定パラメータを検索し、検索した複数対の画像データ及び設定パラメータを前記所定の記録手段から読み出す第１の手順と、
読み出した複数対の画像データ及び設定パラメータを前記撮影条件記憶手段に書き込む第２の手順と
を実行させるためのプログラムを記録したコンピュータ読み取り可能な記録媒体。
【請求項１０】
複数の画像データに基づき表示した複数の見本画像の中から所望する見本画像を使用者に選択させ、選択された見本画像の画像データと対をなす設定パラメータにより示される動作内容の撮影モードを設定するカメラ装置において、
使用者が使用の可否を選択可能な特定記憶領域を有し、この特定記憶領域に、外部の記録媒体から使用者の要求に応じ選択的に取り込まれた、異なる撮影モードにそれぞれ対応する複数対の画像データ及び設定パラメータが記憶される撮影条件記憶手段を備えたことを特徴とするカメラ装置。
【請求項１１】
前記撮影条件記憶手段には、前記特定記憶領域が要求に応じて複数確保可能であるとともに、使用者が前記撮影条件記憶手段に確保されている複数の特定記憶領域を選択するための選択手段と、この選択手段により選択された複数の特定記憶領域にそれぞれ記憶されている複数の画像データに基づく複数の見本画像を、選択対象として使用者に対して表示する表示手段とを備えたことを特徴とする請求項１０記載のカメラ装置。
【請求項１２】
使用者が使用の可否を選択可能な特定記憶領域を有し、この特定記憶領域に記憶されている複数の画像データに基づき表示した複数の見本画像の中から所望する見本画像を使用者に選択させ、選択された見本画像の画像データと対をなす設定パラメータにより示される動作内容の撮影モードを設定するカメラ装置と、
所定の記録手段に記録されている複数対の画像データ及び設定パラメータを使用者の要求に応じ選択的に読み出す読み出し手段と、この読み出し手段により読み出された設定パラメータ及び画像データを、前記特定記憶領域に書き込む書き込み手段とを備えた撮影条件取り込み装置と
からなることを特徴とするカメラ・システム。
【請求項１３】
複数対の画像データ及び設定パラメータを使用者が使用の可否を選択可能な特定記憶領域に記憶する撮影条件記憶手段を備え、前記特定記憶領域に記憶されている複数の前記画像データに基づき表示した複数の見本画像の中から所望する見本画像を使用者に選択させ、選択された見本画像の画像データと対をなす前記設定パラメータにより示される動作内容の撮影モードを設定するカメラ装置が使用する前記撮影条件記憶手段の前記特定記憶領域に、所定の記録手段に記録されている複数対の画像データ及び設定パラメータを選択的に記憶させるための装置であって、
前記所定の記録手段に記録されている複数対の前記画像データ及び前記設定パラメータを使用者の要求に応じ選択的に読み出す読み出し手段と、
この読み出し手段により選択的に読み出された設定パラメータ及び画像データを、前記撮影条件記憶手段の前記特定記憶領域に書き込む書き込み手段と
を備えたことを特徴とする撮影条件取り込み装置。
【請求項１４】
撮影条件記憶手段に記憶されている複数の画像データに基づき表示した複数の見本画像の中から所望する見本画像を使用者に選択させ、選択された見本画像の画像データと対をなして前記撮影条件記憶手段に記憶されている設定パラメータにより示される動作内容の撮影モードを設定するカメラ装置が使用する前記撮影条件記憶手段に、所定の記録手段に記録されている複数対の画像データ及び設定パラメータを選択的に記憶させる方法であって、
前記所定の記録手段に前記画像データ及び設定パラメータと対をなして記録されている、前記画像データに基づく見本画像により表される被写体の種別を示す種別データに基づき、所定の種別の被写体に関する互いに対をなす画像データ及び設定パラメータを検索し、検索した複数対の画像データ及び設定パラメータを前記所定の記録手段から読み出す第１の工程と、
読み出した複数対の画像データ及び設定パラメータを、要求に応じて前記撮影条件記憶手段に確保された、使用者が使用の可否を選択可能な特定記憶領域に書き込む第２の工程と
からなることを特徴とする撮影条件取り込み方法。
【請求項１５】
複数の画像データに基づき表示した複数の見本画像の中から所望する見本画像を使用者に選択させ、選択された見本画像の画像データと対をなす設定パラメータにより示される動作内容の撮影モードを設定するカメラ装置における見本画像の管理方法において、
複数対の前記画像データ及び前記設定パラメータを記憶する撮影条件記憶手段に予め所定の特定記憶領域を確保し、この特定記憶領域に、外部の記録媒体に記録されている、異なる撮影モードにそれぞれ対応する複数対の画像データ及び設定パラメータを選択的に記憶させ、撮影モードの設定時に、使用者に前記特定記憶領域の使用の可否を選択させ、その使用が選択された場合には、前記特定記憶領域に記憶されている複数の画像データに基づく複数の見本画像を、選択対象として使用者に対して表示することを特徴とする見本画像管理方法。
【請求項１６】
撮影条件記憶手段に記憶されている複数の画像データに基づき表示した複数の見本画像の中から所望する見本画像を使用者に選択させ、選択された見本画像の画像データと対をなして前記撮影条件記憶手段に記憶されている設定パラメータにより示される動作内容の撮影モードを設定するカメラ装置が使用する前記撮影条件記憶手段に、所定の記録手段に記録されている複数対の画像データ及び設定パラメータを選択的に記憶させるためのプログラムであって、
コンピュータに、
要求された複数対の前記画像データ及び前記設定パラメータを前記所定の記録手段から読み出す第１の手順と、
読み出した複数対の画像データ及び設定パラメータを、要求に応じて前記撮影条件記憶手段に確保された、使用者が使用の可否を選択可能な特定記憶領域に書き込む第２の手順と
を実行させるためのプログラムを記録したコンピュータ読み取り可能な記録媒体。
【発明の詳細な説明】
【０００１】
【発明の属する技術分野】
本発明は、主として見本画像を用いた撮影条件の設定が可能なカメラ装置に関する。
【０００２】
【従来の技術】
従来、電子スチルカメラにおいては、撮影時における撮影条件（装置の動作内容）の設定、例えばシャッタースピードや絞り値の設定を見本画像を選択するだけで可能とする機能を有するものがある。これは、複数の見本画像及び、各見本画像に対応するシャッタースピードや絞り値などの複数の設定パラメータを予め用意しておき、撮影者の要求に応じて複数の見本画像を液晶表示装置に表示し、撮影者に所望の見本画像を選択させた後、選択された見本画像に対応する設定パラメータに従い撮影条件を設定するというものである。
【０００３】
かかる機能を有する電子スチルカメラでは、撮影者が、撮影しようとしている被写体と同様のシーン、或いは好みに応じた雰囲気の撮影結果を表す見本画像を選択するだけで、被写体毎の適切な撮影条件や、好みに応じた撮影結果が得られる撮影条件が簡単に設定できる。
【０００４】
【発明が解決しようとする課題】
しかしながら、電子スチルカメラ等において、前述したような撮影条件の設定機能による利点を拡大させるには、その時々の撮影条件、被写体（のシーン）の種類、使用者の好みに応じた多数の見本画像を予め用意しておく必要がある。一方、撮影者が見本画像を選択する（探す）時の作業性を考えると、用意しておく見本画像の数には自ずと限界がある。かかることから、見本画像を選択する際の作業性を低下させることなく、見本画像の多様化を如何にして図るかが問題となっていた。
【０００５】
本発明は、かかる従来の課題に鑑みてなされたものであり、見本画像の選択時の作業性を低下させることなく、見本画像の多様化を図ることができるカメラ装置及びカメラ・システム、撮影条件取り込み装置及びその方法、見本画像管理方法、並びに記録媒体を提供することを目的とする。
【００１２】
【課題を解決するための手段】
前記課題を解決するために請求項１の発明にあっては、撮影条件記憶手段に記憶されている複数の画像データに基づき表示した複数の見本画像の中から所望する見本画像を使用者に選択させ、選択された見本画像の画像データと対をなして撮影条件記憶手段に記憶されている設定パラメータにより示される動作内容の撮影モードを設定するカメラ装置が使用する前記撮影条件記憶手段に、所定の記録手段に記録されている複数対の前記画像データ及び前記設定パラメータを選択的に記憶させるための装置であって、前記所定の記録手段に記録されている複数対の前記画像データ及び前記設定パラメータを使用者の要求に応じ選択的に読み出す読み出し手段と、この読み出し手段により選択的に読み出された設定パラメータ及び画像データを前記撮影条件記憶手段に書き込む書き込み手段とを備え、前記読み出し手段は、前記所定の記録手段に前記画像データ及び設定パラメータと対をなして記録されている、前記画像データに基づく見本画像により表される被写体の種別を示す種別データに基づき、所定の種別の被写体に関する複数対の前記画像データ及び設定パラメータを、前記所定の記録手段から選択的に読み出すものとした。
【００１４】
また、請求項２の発明にあっては、撮影条件記憶手段に記憶されている複数の画像データに基づき表示した複数の見本画像の中から所望する見本画像を使用者に選択させ、選択された見本画像の画像データと対をなして撮影条件記憶手段に記憶されている設定パラメータにより示される動作内容の撮影モードを設定するカメラ装置が使用する前記撮影条件記憶手段に、所定の記録手段に記録されている複数対の前記画像データ及び前記設定パラメータを選択的に記憶させるための装置であって、前記所定の記録手段に記録されている複数対の前記画像データ及び前記設定パラメータを使用者の要求に応じ選択的に読み出す読み出し手段と、この読み出し手段により選択的に読み出された設定パラメータ及び画像データを前記撮影条件記憶手段に書き込む書き込み手段とを備え、前記読み出し手段は、前記所定の記録手段に前記画像データ及び設定パラメータと対をなして複数記録され、各々が前記画像データに基づく見本画像により表される被写体の異なる観点に基づく種別をそれぞれ示す複数の種別データに基づき、複数の種別に該当する被写体に関する複数対の前記画像データ及び設定パラメータを、前記所定の記録手段から選択的に読み出すものとした。
【００１６】
また、請求項３の発明にあっては、前記請求項１又は２の発明において、使用者に前記種別を指定させる指定手段を備え、前記読み出し手段は、前記指定手段によって使用者に指定された種別の種別データに対応する前記画像データ及び設定パラメータを、前記所定の記録手段から選択的に読み出すものとした。
【００１８】
また、請求項４の発明にあっては、前記請求項１の発明において、操作時の日付を取得する取得手段を更に備えるとともに、前記所定の種別が季節に関する種別であって、前記読み出し手段は、前記取得手段により取得された日付から判断される季節と合致する種別の種別データに対応する前記画像データ及び設定パラメータを、前記所定の記録手段から選択的に読み出すものとした。
【００２０】
また、請求項５の発明にあっては、撮影条件記憶手段に記憶されている複数の画像データに基づき表示した複数の見本画像の中から所望する見本画像を使用者に選択させ、選択された見本画像の画像データと対をなして前記撮影条件記憶手段に記憶されている設定パラメータにより示される動作内容の撮影モードを設定するカメラ装置が使用する前記撮影条件記憶手段に、所定の記録手段に記録されている複数対の画像データ及び設定パラメータを選択的に記憶させる方法であって、前記所定の記録手段に前記画像データ及び設定パラメータと対をなして記録されている、前記画像データに基づく見本画像により表される被写体の種別を示す種別データに基づき、所定の種別の被写体に関する互いに対をなす画像データ及び設定パラメータを検索し、検索した複数対の画像データ及び設定パラメータを前記所定の記録手段から読み出す第１の工程と、読み出した複数対の画像データ及び設定パラメータを前記撮影条件記憶手段に書き込む第２の工程とからなるものとした。
【００２２】
また、請求項６の発明にあっては、前記請求項５の発明において、前記第１の工程では、前記所定の記録手段に前記画像データ及び設定パラメータと対をなして複数記録され、各々が前記画像データに基づく見本画像により表される被写体の異なる観点に基づく種別をそれぞれ示す複数の種別データに基づき、複数の種別に該当する被写体に関する画像データ及び設定パラメータを検索し、検索した複数対の画像データ及び設定パラメータを前記所定の記録手段から読み出すものとした。
【００２４】
また、請求項７の発明にあっては、前記請求項５又は６の発明において、前記第１の工程に先立って使用者に前記種別を指定させる事前工程を有し、前記第１の工程では、使用者に指定された種別の種別データに対応する前記画像データ及び設定パラメータを検索し、検索した複数対の画像データ及び設定パラメータを前記所定の記録手段から読み出すものとした。
【００２６】
また、請求項８の発明にあっては、前記請求項５，６又は７の発明において、前記所定の種別が季節に関する種別であって、前記第１の工程に先立って操作時の日付を取得する事前工程を有し、前記第１の工程では、他の事前工程で取得した日付から判断される季節と合致する種別の種別データに対応する前記画像データ及び設定パラメータを検索し、検索した複数対の画像データ及び設定パラメータを前記所定の記録手段から読み出すものとした。
【００２８】
また、請求項９の発明にあっては、撮影条件記憶手段に記憶されている複数の画像データに基づき表示した複数の見本画像の中から所望する見本画像を使用者に選択させ、選択された見本画像の画像データと対をなして前記撮影条件記憶手段に記憶されている設定パラメータにより示される動作内容の撮影モードを設定するカメラ装置が使用する前記撮影条件記憶手段に、所定の記録手段に記録されている複数対の画像データ及び設定パラメータを選択的に記憶させるためのプログラムであって、コンピュータに、前記所定の記録手段に前記画像データ及び設定パラメータと対をなして記録されている、前記画像データに基づく見本画像により表される被写体の種別を示す種別データに基づき、所定の種別の被写体に関する互いに対をなす画像データ及び設定パラメータを検索し、検索した複数対の画像データ及び設定パラメータを前記所定の記録手段から読み出す第１の手順と、読み出した複数対の画像データ及び設定パラメータを前記撮影条件記憶手段に書き込む第２の手順とを実行させるためのプログラムを記録したものとした。
【００２９】
また、請求項１０の発明にあっては、複数の画像データに基づき表示した複数の見本画像の中から所望する見本画像を使用者に選択させ、選択された見本画像の画像データと対をなす設定パラメータにより示される動作内容の撮影モードを設定するカメラ装置において、使用者が使用の可否を選択可能な特定記憶領域を有し、この特定記憶領域に、外部の記録媒体から使用者の要求に応じ選択的に取り込まれた、異なる撮影モードにそれぞれ対応する複数対の画像データ及び設定パラメータが記憶される撮影条件記憶手段を備えたものとした。
【００３１】
また、請求項１１の発明にあっては、前記請求項１０の発明において、前記撮影条件記憶手段には、前記特定記憶領域が要求に応じて複数確保可能であるとともに、使用者が前記撮影条件記憶手段に確保されている複数の特定記憶領域を選択するための選択手段と、この選択手段により選択された複数の特定記憶領域にそれぞれ記憶されている複数の画像データに基づく複数の見本画像を、選択対象として使用者に対して表示する表示手段とを備えたものとした。
【００３３】
また、請求項１２の発明にあっては、使用者が使用の可否を選択可能な特定記憶領域を有し、この特定記憶領域に記憶されている複数の画像データに基づき表示した複数の見本画像の中から所望する見本画像を使用者に選択させ、選択された見本画像の画像データと対をなす設定パラメータにより示される動作内容の撮影モードを設定するカメラ装置と、所定の記録手段に記録されている複数対の画像データ及び設定パラメータを使用者の要求に応じ選択的に読み出す読み出し手段と、この読み出し手段により読み出された設定パラメータ及び画像データを、前記特定記憶領域に書き込む書き込み手段とを備えた撮影条件取り込み装置とからなるものとした。
【００３５】
また、請求項１３の発明にあっては、複数対の画像データ及び設定パラメータを使用者が使用の可否を選択可能な特定記憶領域に記憶する撮影条件記憶手段を備え、前記特定記憶領域に記憶されている複数の前記画像データに基づき表示した複数の見本画像の中から所望する見本画像を使用者に選択させ、選択された見本画像の画像データと対をなす前記設定パラメータにより示される動作内容の撮影モードを設定するカメラ装置が使用する前記撮影条件記憶手段の前記特定記憶領域に、所定の記録手段に記録されている複数対の画像データ及び設定パラメータを選択的に記憶させるための装置であって、前記所定の記録手段に記録されている複数対の前記画像データ及び前記設定パラメータを使用者の要求に応じ選択的に読み出す読み出し手段と、この読み出し手段により選択的に読み出された設定パラメータ及び画像データを、前記撮影条件記憶手段の前記特定記憶領域に書き込む書き込み手段とを備えたものとした。
【００３７】
また、請求項１４の発明にあっては、撮影条件記憶手段に記憶されている複数の画像データに基づき表示した複数の見本画像の中から所望する見本画像を使用者に選択させ、選択された見本画像の画像データと対をなして前記撮影条件記憶手段に記憶されている設定パラメータにより示される動作内容の撮影モードを設定するカメラ装置が使用する前記撮影条件記憶手段に、所定の記録手段に記録されている複数対の画像データ及び設定パラメータを選択的に記憶させる方法であって、前記所定の記録手段に前記画像データ及び設定パラメータと対をなして記録されている、前記画像データに基づく見本画像により表される被写体の種別を示す種別データに基づき、所定の種別の被写体に関する互いに対をなす画像データ及び設定パラメータを検索し、検索した複数対の画像データ及び設定パラメータを前記所定の記録手段から読み出す第１の工程と、読み出した複数対の画像データ及び設定パラメータを、要求に応じて前記撮影条件記憶手段に確保された、使用者が使用の可否を選択可能な特定記憶領域に書き込む第２の工程とからなるものとした。
【００３９】
また、請求項１５の発明にあっては、複数の画像データに基づき表示した複数の見本画像の中から所望する見本画像を使用者に選択させ、選択された見本画像の画像データと対をなす設定パラメータにより示される動作内容の撮影モードを設定するカメラ装置における見本画像の管理方法において、複数対の前記画像データ及び前記設定パラメータを記憶する撮影条件記憶手段に予め所定の特定記憶領域を確保し、この特定記憶領域に、外部の記録媒体に記録されている、異なる撮影モードにそれぞれ対応する複数対の画像データ及び設定パラメータを選択的に記憶させ、撮影モードの設定時に、使用者に前記特定記憶領域の使用の可否を選択させ、その使用が選択された場合には、前記特定記憶領域に記憶されている複数の画像データに基づく複数の見本画像を、選択対象として使用者に対して表示するようにした。
【００４１】
また、請求項１６の発明にあっては、撮影条件記憶手段に記憶されている複数の画像データに基づき表示した複数の見本画像の中から所望する見本画像を使用者に選択させ、選択された見本画像の画像データと対をなして前記撮影条件記憶手段に記憶されている設定パラメータにより示される動作内容の撮影モードを設定するカメラ装置が使用する前記撮影条件記憶手段に、所定の記録手段に記録されている複数対の画像データ及び設定パラメータを選択的に記憶させるためのプログラムであって、コンピュータに、要求された複数対の前記画像データ及び前記設定パラメータを前記所定の記録手段から読み出す第１の手順と、読み出した複数対の画像データ及び設定パラメータを、要求に応じて前記撮影条件記憶手段に確保された、使用者が使用の可否を選択可能な特定記憶領域に書き込む第２の手順とを実行させるためのプログラムを記録したものとした。
【００４２】
【発明の実施の形態】
以下、本発明の一実施の形態を図にしたがって説明する。
【００４３】
（第１の実施の形態）
まず、第１の実施の形態におけるカメラ・システムについて説明する。
（電子スチルカメラ）
図１は、本発明のカメラ装置である電子スチルカメラ１の外観を示す図であって、同図（ａ）は背面図、同図（ｂ）は平面図、同図(ｃ)は正面図である。
【００４４】
この電子スチルカメラ１は、従来技術で説明した見本画像の選択による撮影条件の設定を可能とする動作モード（シーンセレクトモード）を有するものであって、本体の正面側には固定レンズ４、背面側にはＴＦＴ液晶モニター１５が配置されるとともに、光学ファインダ５１とストロボ１６とを有している。また、本体の背面部及び上面部には、電源スイッチ５２、シャッターキー５３、ズーム操作スイッチ５４、録画モード（ＲＥＣモード）と再生モード（ＰＬＡＹモード）の切り替え行う動作モード切り替えスイッチ５５、液晶モニタ・スイッチ５６、フラッシュ・キー５７、セルフタイマ・キー５８、メニュー・キー５９の各種スイッチが設けられている。
【００４５】
図２は、前記電子スチルカメラ１の電気的構成の概略を示すブロック構成図であり、電子スチルカメラ１は、撮像手段であるＣＣＤ２により撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えたＭＰＵ３を中心に構成されている。ＣＣＤ２の受光面には、固定レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバー８が出力する駆動信号が駆動機構７に供給されることにより光軸上を前後に移動する合焦動作を行う。絞り６は、ＭＰＵ３からの制御信号に基づき絞り駆動部９が発生する駆動信号により駆動しＣＣＤ２に入射する被写体像の光量を調整する。
【００４６】
また、ＭＰＵ３には、タイミング信号を発生するＴＧ（Timing Generator）１０が接続されており、ＴＧ１０が発生したタイミング信号に基づきＶドライバー１１（垂直方向ドライバー）がＣＣＤ２を駆動し、それに伴いＣＣＤ２により被写体像の輝度に応じたアナログの撮像信号が出力されユニット回路１２へ送られる。ユニット回路１２は、ＣＣＤ２から出力された撮像信号を保持するＣＤＳと、ＣＤＳから撮像信号を供給されるアナログアンプであるゲイン調整アンプ（ＡＧＣ）と、ゲイン調整アンプに増幅され調整されたアナログの撮像信号をデジタル信号に変換するＡ／Ｄ変換器（ＡＤ）とからなり、ＣＣＤ２の出力信号は、ここで黒レベルを合わせてサンプリングされデジタル信号としてＭＰＵ３に送られる。
【００４７】
また、ＭＰＵ３には電源回路１３と、図１に示した各種のスイッチ群を含む操作キー部１４、前記ＴＦＴ液晶モニター１５、前記ストロボ１６、ＤＲＡＭ１７、ＭＲＯＭ１８、カードドライブ１９が接続されており、カードドライブ１９にはＣＦ（コンパクトフラッシュ）カード２０が装着されている。ＣＦカード２０は、本発明の撮影条件記憶手段である着脱自在な記録媒体、ＤＲＡＭ１７は作業用のメモリであって、ＣＣＤ２からＭＰＵ３に送られたデジタル信号（撮像信号）はＤＲＡＭ１７に一時保存されるとともに、ＭＰＵ３によって各種の画像処理が施された後、最終的には圧縮された映像信号としてＣＦカード２０に記録される。記録された映像信号は、必要に応じてＭＰＵ３に読み出され、伸長処理、輝度信号及び色信号の付加等の処理を経てデジタルビデオ信号やアナログビデオ信号に生成され、ＴＦＴ液晶モニター１５に表示される。すなわちＴＦＴ液晶モニター１５には、録画モードにおいては逐次撮像された画像がスルー画像として表示され、再生モードにおいてはＣＦカード２０に記録された画像データに基づく画像が表示される。
【００４８】
ＭＲＯＭ１８は、ＭＰＵ３における各部の制御及びデータ処理に必要な各種の動作プログラムが記録されたプログラムＲＯＭである。ＭＲＯＭ１８には撮影時の適正な露出値（ＥＶ）に対応する絞り値（Ｆ）とシャッタースピードとの組み合わせを示すプログラム線図を構成するプログラムＡＥデータ等の各種データが格納されている。そしてＭＰＵ３は、前記プログラム線図に従い、シャッター速度である前記ＣＣＤ２の電荷蓄積時間や、前記絞り６の開放度、前記ユニット回路１２のゲイン調整アンプ（ＡＧＣ）のゲイン設定等のＡＥ制御を行うとともに、所定のプログラムに従い前記フォーカスレンズ５を駆動するＡＦ（オートフォーカス）制御を行う。さらに、シャッターキー５３が操作された時（撮影時）には、必要に応じてストロボ１６による撮影補助光の発光、及びその発光量の制御、及び前記シーンセレクトモードによる撮影条件の設定に関する制御を行う。
【００４９】
図３は、前記ＣＦカード２０におけるデータ格納構造を示す図である。同図（ａ）に示すように、ＣＦカード２０には、カードドライブ１９に最初に装着された時点で、その内部に初期見本画像領域２０ａと、カスタム見本画像領域２０ｂ、撮影画像データ領域２０ｃとが確保されている。撮影画像データ領域２０ｃには、前述したように撮像され圧縮された撮影画像データ１０１が複数記憶されている。また、初期見本画像領域２０ａには、カードドライブ１９に最初に装着された時点で、前記ＭＲＯＭ１８からコピーされた見本画像データ１０２が記憶されている。
【００５０】
前記初期見本画像領域２０ａに記憶されている見本画像データ１０２は、ＪＰＥＧ形式の画像データであって、図３（ｂ）に示したように、画像本体データ１０２ａと、その付加データであるシーン番号データ１０２ｂ、複数の撮影条件データ１０２ｃとから構成されている。画像本体データ１０２ａは、前記シーンセレクトモードの設定時にＴＦＴ液晶モニター１５に表示される見本画像のデータであって、撮影頻度が多いことが予想される種類の被写体（撮影シーン）、例えば各種のポートレート、二人の人物が並ぶツーショット、人と風景、夕日を浴びた山、遊園地、都市の夜景などの画像データである。シーン番号データ１０２ｂは、各見本画像データ１０２に付されたシリアルナンバーである。撮影条件データ１０２ｃは、シャッターキー５３が押された撮影時に制御可能な複数の制御項目（フォーカス、シャッター速度、絞り、ＥＶシフト量、感度、・・・、フラッシュ）の設定内容をそれぞれ示すパラメータであり、より具体的には数値データや、スイッチ用のフラグ・データであって、画像本体データ１０２ａによる見本画像と同様の撮影結果を得るための撮影条件を電子スチルカメラ１に確保するためのデータが予めセットされている。また、図示しないが、各見本画像データ１０２には、前記画像本体データ１０２ａのＴＦＴ液晶モニター１５への表示に際して、見本画像とともにＴＦＴ液晶モニター１５に表示される文字などの他の付加データも含まれている。
【００５１】
また、前記カスタム見本画像領域２０ｂは、前述した初期見本画像領域２０ａに記憶されている見本画像データ１０２と同様のデータ構成を有するとともに、それとは異なる見本画像（画像本体）が含まれる他の見本画像データ１０２を必要に応じて記憶するための領域である。なお、かかるカスタム見本画像領域２０ｂには、例えばパーソナルコンピュータを用いて所定のＣＤ−ＲＯＭからコピーされた見本画像データ１０２が複数記憶されている。
【００５２】
そして、以上の構成からなる電子スチルカメラ１においては、撮影者の所定のキー操作によってシーンセレクトモードが選択されると、以下のように動作する。
【００５３】
図４は、その際の電子スチルカメラ１の動作を示すフローチャートであり、電子スチルカメラ１は、シーンセレクトモードが選択されると、ＣＦカード２０の前述した初期見本画像領域２０ａ及びカスタム見本画像領域２０ｂの双方に記憶されている見本画像データ１０２に基づき、図５に示したように、異なる見本画像２０１等からなる選択画面２０２をＴＦＴ液晶モニター１５に表示する（ステップＳＡ１）。また、かかる状態では、使用者が所定の選択ボタン（本実施の形態では、ズームボタン５４の［＋］と［−］）が操作されたら、表示する見本画像２０１等を他の見本画像２０１に順次切り替える。そして、いずれかの見本画像２０１が表示された状態でシャッターキー５３（決定キー）が押下されたら（ステップＳＡ２でＹＥＳ）、つまりいずれかの見本画像２０１が選択されたら、表示中の見本画像２０１（画像本体１０２ａ）と共に見本画像データ１０２を構成する前記撮影条件データ１０２ｃに基づき、電子スチルカメラ１における撮影時の撮影条件を設定し、撮影待機状態となる（ステップＳＡ３）。しかる後、シャッターキー５３が押下されたら（ステップＳＡ４でＹＥＳ）、画像データを取り込み（ステップＳＡ５）、取り込んだ画像データをＣＦカード２０の撮影画像データ領域２０ｃに記録する（ステップＳＡ６）。
【００５４】
これにより、撮影者においては、これから撮影しようとする被写体と同様の見本画像２０１を選択すれば、その被写体の撮影に適した撮影条件が自動的に設定でき、その撮影条件での撮影が可能となっている。
【００５５】
ここで、本実施の形態の電子スチルカメラ１においては、ＣＦカード２０に、ＣＤ−ＲＯＭ等の外部における見本画像データ１０２を記憶するカスタム見本画像領域２０ｂが確保されており、カスタム見本画像領域２０ｂには、使用者が必要に応じて所望とする見本画像データ１０２の変更や追加が可能となっている。したがって、電子スチルカメラ１においては、使用者に必要な見本画像データ１０２だけをカスタム見本画像領域２０ｂに記憶させることにより、初期見本画像領域２０ａに多数の見本画像データ１０２を記憶しておかなくとも、シーンセレクトモードでの撮影条件の設定に使用する見本画像の種類を増やすことができる。また、不要になった見本画像データ１０２については、カスタム見本画像領域２０ｂから削除することも可能である。よって、シーンセレクトモードにおける見本画像の選択時の作業性を低下させることなく、見本画像の多様化を図ることが可能となる。
【００５６】
（パーソナルコンピュータ）
図６は、前述した前記電子スチルカメラ１とともに本発明のカメラ・システムを構成するパーソナルコンピュータ（以下、パソコン）６０を示すブロック図である。
【００５７】
このパソコン６０はＣＰＵ６１と、ＣＰＵ６１に接続されたＲＯＭ６２、ＲＡＭ６３、内蔵時計６４、ＣＲＴ６５を駆動するＣＲＴ駆動回路６６を有している。ＣＰＵ６１には、インターフェース６７を介して入力手段であるキーボード６８及びマウス６９と、ハードディスク７０、フロッピディスクドライブ７１、ＣＤ−ＲＯＭドライブ７２、前述した電子スチルカメラ１が使用するＣＦカード２０が着脱自在に装着可能なスロットを有する内蔵又は外付けのカードドライブ７３が接続されている。ハードディスク７０は、本発明の記録媒体であって、基本動作プログラム、及びＣＤ−ＲＯＭドライブ７２に装着された所定のＣＤ−ＲＯＭ７４に記録されている所定のコピー用プログラムがインストールされている。前記ＣＤ−ＲＯＭ７４は本発明における外部の記録媒体であって、ＣＤ−ＲＯＭ７４には、図７（ａ）に示すように、前記コピー用プログラムが圧縮されているプログラムデータ１１０と共に、複数の見本画像データ１１２・・・が記録されている。前記コピー用プログラムは、ＣＤ−ＲＯＭ７４内の見本画像データ１１２を前記ＣＦカード２０にコピーするためのプログラムである。
【００５８】
また、複数の見本画像データ１１２・・・は、それぞれが図７（ｂ）に示したように、画像本体データ１０２ａと、シーン番号データ１０２ｂ、複数の撮影条件データ１０２ｃ、種別データ１０３ａとから構成されている。種別データ１０３ａ以外のデータは、前述したＣＦカード２０の初期見本画像領域２０ａに記憶されている見本画像データ１０２と同様のデータである。また、種別データ１０３ａは、画像本体データ１０２ａに基づく見本画像の種別を示す種別データ、具体的には、その見本画像の内容（シーン）が予め決められている種別に該当するか否かを示す複数のフラグ・データ１０３ｂ・・・によって構成されている。本実施の形態で用意されている各フラグ・データ１０３ｂすなわち種別は、図７（ｃ）に示したように、「春、夏、秋、冬、朝、昼、夕、夜、スポーツ、自然、人物、記念撮影」といったものであり、例えば見本画像データ１１２の見本画像が「春の自然」をテーマとした被写体に関するものであった場合には、「春」と「自然」にフラグがセットされている。
【００５９】
次に、パソコン６０において、カードドライブ７３に前記ＣＦカード２０が装着された状態で、使用者が前述したコピー用プログラムを起動して、ＣＤ−ＲＯＭ７４内の見本画像データ１１２を前記ＣＦカード２０にコピーする際の動作を図８のフローチャートに従って説明する。
【００６０】
パソコン６０は、コピー用プログラムが起動されると、所定の画面をＣＲＴ６５に表示し、使用者にコピー対象となる見本画像の特定方法の選択を指示する（ステップＳＢ１）。なお、本実施の形態においては、見本画像の特定方法として「個別」と「種別一括」の２種類が用意されている。ここで、「個別」が選択されたときには（ステップＳＢ２でＹＥＳ）、ＣＤ−ＲＯＭ７４に記録されている複数見本画像データ１１２に基づく見本画像を全てＣＲＴ６５に表示して、使用者に、所望の見本画像を個別に選択させる（ステップＳＢ３）。しかる後、選択された１又は複数の見本画像のデータ（見本画像データ１１２）をＣＤ−ＲＯＭ７４から読み出し、ＣＦカード２０に書き込み（ステップＳＢ４）、動作を終了する。これにより、使用者は、ＣＤ−ＲＯＭ７４に記憶されている所望する見本画像の見本画像データ１１２だけをＣＦカード２０にコピーすることができる。
【００６１】
また、特定方法として「種別一括」が選択されたときには（ステップＳＢ２でＮＯ、ステップＳＢ５でＹＥＳ）、図９のフローチャートに示した分類指定コピー処理を行う（ステップＳＢ６）。かかる処理では、選択可能な複数の種別をＣＲＴ６５に表示し、使用者に所望の種別の選択を指示する（ステップＳＣ１）。なお、本実施の形態において、種別の選択に際しては、複数の種別を同時に選択可能であり、かつその場合には、全ての種別に該当する見本画像データ１１２を検索するＡＮＤ検索を行うか否かが指定可能となっている。
【００６２】
そして、使用者により、いずれか１つの種別だけが選択されたときには（ステップＳＣ２でＮＯ）、見本画像データ１１２を構成する複数のフラグ・データ１０３ｂに基づき、選択された分類に該当する見本画像に関する見本画像データ１１２を検索した後（ステップＳＣ８）、検索したデータをＣＤ−ＲＯＭ７４から読み出すとともに、ＣＦカード２０に書き込む（ステップＳＣ６）。また、使用者により、複数の種別が選択されたときには（ステップＳＣ２でＹＥＳ）、ＡＮＤ検索が指定されているか否かを判断する（ステップＳＣ３）。
【００６３】
ここで、ＡＮＤ検索が指定されていないときには（ステップＳＣ３でＮＯ）、選択された各種別に該当する全ての見本画像の見本画像データ１１２を検索した後（ステップＳＣ７）、検索したデータをＣＤ−ＲＯＭ７４から読み出し、ＣＦカード２０に書き込む（ステップＳＣ６）。また、ＡＮＤ検索が指定されていたときには（ステップＳＣ３でＹＥＳ）、選択された全ての種別に該当する見本画像の見本画像データ１１２を検索し、該当するデータが存在するか否かを判別する（ステップＳＣ５）。ここで、該当するデータが存在すれば、検索したデータをＣＤ−ＲＯＭ７４から読み出し、ＣＦカード２０に書き込む（ステップＳＣ６）。なお、該当するデータが存在しないときには（ステップＳＣ５でＮＯ）、ステップＳＣ１へ戻り、使用者に種別を再指定させた後、ステップＳＣ２の処理を繰り返す。そして、ステップＳＣ６で検索したデータをＣＦカード２０に書き込んだ後、図８のフローチャートに戻り動作を終了する。
【００６４】
これにより、使用者は、見本画像の特定方法として「種別一括」を選択選択することにより、ＣＤ−ＲＯＭ７４に記憶されている見本画像（見本画像データ１１２）を全て確認することなく、必要に応じて特定の種別の見本画像だけを効率よくＣＦカード２０にコピーすることができる。そして、かかる処理を経たＣＦカード２０を前述した電子スチルカメラ１に装着することにより、ＣＤ−ＲＯＭ７４からコピーした見本画像を用いて撮影条件の設定を行うことができる。
【００６５】
（第２の実施の形態）
次に、本発明の第２の実施の形態におけるカメラ・システムについて説明する。本実施の形態は、前記パソコン６０に、前述とは異なるコピー用プログラムがインストールされたものである。図１０は、前記パソコン６０において、前述とは異なるコピー用プログラムが起動された場合の動作を示すフローチャートである。
【００６６】
すなわち本実施の形態において、パソコン６０は、コピー用プログラムが起動されると、まず、内蔵時計６４（本発明の取得手段）が示す現在の年月日データを取得する（ステップＳＤ１）。次に、取得した年月日データに基づき所定の判断基準に従って現在の季節（春夏秋冬）を判断した後（ステップＳＤ２）、ＣＤ−ＲＯＭ７４に記憶されている、判定した季節に関する見本画像データ１１２を全て検索する（ステップＳＤ３）。そして、ここで、検索した見本画像データ１１２のみをコピー対象として予め設定した後（ステップＳＤ４）、続くステップＳＤ５〜ＳＤ９では、図８（及び図９）で説明した処理と同様の処理を行う。
【００６７】
そして、特定方法として「個別」が選択された場合におけるステップＳＤ７においては、その時々の季節に対応する被写体の見本画像だけが表示される。したがって、その場合には、使用者が必要な見本画像を容易に探すことができる。また、特定方法として「種別一括」が選択された場合におけるステップＳＤ９の処理においては、その時々の季節に対応する被写体の見本画像だけが自動的に選択され、ＣＦカード２０にコピーされる。したがって、その場合には、使用者がその時点における季節に関する種別を選択する手間が省け、作業性がより一層向上する。
【００６８】
なお、図１０に示した処理では、ＣＦカード２０にコピーする見本画像を使用者に特定させるようにしたが、これとは別に、前述したステップＳＤ４の直後に、使用者に、その後の見本画像の特定を省略するか否かを選択させ、それが省略されたときには、ステップＳＤ３で設定した全ての見本画像データ１１２をＣＦカード２０にコピーする処理を行わせるようにしてもよい。その場合、使用者は季節に関する種別を選択することなく、その時点の季節に該当する見本画像の見本画像データ１１２だけを自動的にＣＦカード２０にコピーすることができ、コピー作業の簡略化を図ることができる。
【００６９】
また、以上の説明においては、撮影条件データ１０２ｃや種別データ１０３ａが、画像本体データ１０２ａの付加データとして見本画像データ１０２，１１２を構成している場合について説明したが、それらは見本画像データ１０２，１１２とは別のデータとしてＣＤ−ＲＯＭ７４に記録されていたり、ＣＦカード２０に記憶したりする構成であっても構わない。
【００７０】
また、前述した電子スチルカメラ１においては、見本画像データ１０２を記録する記録媒体として、本体に着脱自在なＣＦカード２０を有する構成としたが、記憶データの書き換えが可能であれば、他の記録媒体を電子スチルカメラ１に設け、それに見本画像データ１０２を記録させる構成としてもよい。更に、それが電子スチルカメラ１の本体に固定されたものである場合には、電子スチルカメラ１に、パソコン６０等と赤外線やケーブルを用いた通信を可能とするデータ通信手段を別途設け、通信によって見本画像データ１０２をコピーする構成とすればよい。その場合であっても、前述した電子スチルカメラ１と同様に、シーンセレクトモードにおける見本画像の選択時の作業性を低下させることなく、見本画像の多様化を図ることが可能となる。
【００７１】
（第３の実施の形態）
次に、本発明の第３の実施の形態におけるカメラ・システムについて説明する。本実施の形態は、前記電子スチルカメラ１のＭＲＯＭ１８に、前述とは異なる動作を行わせるための動作プログラムが記憶され、かつパソコン６０のハードディスク７０に、前述したものとは異なるコピー用プログラムがインストールされたものである。本実施の形態においても、電子スチルカメラ１が使用するＣＦカード２０には、パソコン６０を用いることによりＣＤ−ＲＯＭ７４に記憶されている複数の見本画像（見本画像データ１１２）が取り込まれる。なお、ＣＤ−ＲＯＭ７４に記憶されている複数の見本画像は、前述した図７に示した構造を有するものに限らず、図３に示した構造、すなわち類別データ１０３ａが付加されていない見本画像データ１０２であっても構わない。
【００７２】
以下、本実施の形態において、使用者が、ＣＤ−ＲＯＭ７４に記憶されている複数の見本画像を、ＣＦカード２０を介して電子スチルカメラ１に取り込み、取り込んだ見本画像をシーンセレクトモードで利用するときの電子スチルカメラ１及びパソコン６０の動作を説明する。
【００７３】
図１１は、その際における手順を示す図であって、まず使用者がＣＦカード２０を電子スチルカメラ１に装着すると（イ）、電子スチルカメラ１は、図１２に示した準備処理を実行する。かかる準備処理において、電子スチルカメラ１は、ＣＦカード２０がカードドライブ１９に装着されることに伴い（ステップＳＥ１でＹＥＳ）、ＣＦカード２０内に所定のシーン・フォルダが存在するか否かを確認する（ステップＳＥ２）。なお、所定のシーン・フォルダは、第１の実施の形態で説明したカスタム見本画像領域２０ｂ（図３参照）、すなわち本発明における特定記憶領域を示すものであって、カスタム見本画像領域２０ｂと実質的に同一である。
【００７４】
そして、電子スチルカメラ１は、所定のシーン・フォルダーが存在していれば（ステップＳＥ２でＹＥＳ）、そのまま処理を終了し、存在していなければ、図１４（ａ）に示したように、ＣＦカード２０内に所定のシーン・フォルダ「ＳＣＥＮＥ０１」を作成し、処理を終了する。なお、図１４（ａ）においてフォルダ名「ＳＣＥＮＥ００」を有する他のフォルダは、ＣＦカード２０がカードドライブ１９に最初に装着された時点で作成されていた初期見本画像領域２０ａ（図３参照）を示すフォルダである。
【００７５】
次に、使用者は、ＣＦカード２０を電子スチルカメラ１から取り外すとともに（ロ）、パソコン６０側のカードドライブ７３に装着し（ハ）、それにＣＤ−ＲＯＭ７４に記憶されている１又は複数の見本画像をコピーする。図１３は、背前述したコピー用プログラムが起動された状態における、使用者の操作に伴うパソコン６０のコピー動作を示すフローチャートであって、パソコン６０は、まずＣＦカード２０を自機のストレージとして認識する（ステップＳＦ１）。その後、ＣＦカード２０へのシーン・フォルダの作成要求があれば（ステップＳＦ２でＹＥＳ）、所定の規則に従ったフォルダ名を有する新規のシーン・フォルダをＣＦカード２０内に作成する（ステップＳＦ３）。なお、本実施の形態において新規に付与するフォルダ名は、「ＳＣＥＮＥ０２」、「ＳＣＥＮＥ０３」、「ＳＣＥＮＥ０４」、・・・といった様に、「ＳＣＥＮＥ」の末尾に「０２」以後のシリアル番号を付加したフォルダ名である。
【００７６】
また、ＣＤ−ＲＯＭ７４に記録されている見本画像のライブラリー、より具体的には、複数の見本画像が格納されている所定のフォルダを開く操作があれば（ステップＳＦ４でＹＥＳ）、それを行いＣＤ−ＲＯＭ７４内の全ての見本画像を表示する（ステップＳＦ５）。そして、見本画像を表示した状態で、使用者によるコピー操作があれば（ステップＳＦ６ＹＥＳ）、それに応じて、使用者により選択された見本画像を、使用者によって指定されたＣＦカード２０内のいずれかのシーン・フォルダ、すなわち電子スチルカメラ１によって事前に作成されたシーン・フォルダ「ＳＣＥＮＥ０１」や、前述したステップＳＦ３で作成した「ＳＣＥＮＥ０２」等のシーン・フォルダにコピーする（ステップＳＦ７）。そして、使用者が見本画像のコピー操作を終了するまでステップＳＦ２以降の動作を繰り返し行う。これにより、ＣＦカード２０内には、図１４（ｂ）に示したように、複数のシーン・フォルダが確保されるとともに、シーン・フォルダ「ＳＣＥＮＥ００」を除く他のシーン・フォルダには、使用者によって選択された複数の見本画像、すなわち「Ａ００１２．ｊｐｇ」、「Ａ００１３．ｊｐｇ」、・・・の画像ファイルが保存される。しかる後、使用者が、ＣＦカード２０をパソコン６０側のカードドライブ７３から取り外して（ニ）、電子スチルカメラ１に装着する（ホ）。これにより、電子スチルカメラ１に新たな見本画像が取り込まれる。
【００７７】
ここで、本実施の形態においては、電子スチルカメラ１への新たな見本画像の取り込みに際して、ＣＦカード２０を電子スチルカメラ１とパソコン６０とに挿抜する場合を示したが、先にも述べたが、電子スチルカメラ１に、パソコン６０等と赤外線やケーブルを用いた通信を可能とするデータ通信手段を別途設け、電子スチルカメラ１にＣＦカード２０を装着した状態のままで、通信制御によって、使用者に上記と同様の操作を行わせる構成としてもよい。また、その場合には、見本画像を電子スチルカメラ１に固定的な他の記憶手段に記憶させることもできる。
【００７８】
また、本実施の形態においては、パソコン６０に所定のコピー用プログラムがインストールされており、それを用いて見本画像のコピー作業を行う場合を説明したが、使用者が、前記コピー用プログラムを用いることなく、パソコン６０に設けられているＧＵＩ（graphical user interface）機能を有する任意のファイル操作用のプログラムを使用して、見本画像のコピー作業を行うようにしてもよい。ただし、その場合にはＣＦカード２０に新たなシーン・フォルダを作成するときには、そのシーン・フォルダに、前述したような所定の規則に従ったフォルダ名を手動操作で行う必要がある。
【００７９】
一方、図１５は、電子スチルカメラ１において、撮影者の所定のキー操作により、シーンセレクトモードの中に用意されているフォルダ選択モードが更に選択されたときの動作を示すフローチャートである。
【００８０】
電子スチルカメラ１は、フォルダ選択モードが選択されると、まず見本画像があるシーン・フォルダ、すなわち当初の段階で前記ＭＲＯＭ１８からコピーされた見本画像データ１０２が記憶されている初期見本画像領域２０ａを示すフォルダ「ＳＣＥＮＥ００」以外のフォルダの有無を確認する（ステップＳＧ１）。かかるシーン・フォルダが存在していないときには（ステップＳＧ２でＮＯ）、直ちにステップＳＧ６へ進みシーンセレクトモードによる動作に移行する。この場合は、当初から用意されている見本画像であって、ＣＦカード２０の初期見本画像領域２０ａ（フォルダ「ＳＣＥＮＥ００」）に記憶された見本画像を表示する選択画面２０２（図５参照）をＴＦＴ液晶モニター１５に表示した後、第１の実施の形態で図４をもって説明したと同様に、使用者に所望の見本画像を選択させ、選択された見本画像に対応する撮影条件による撮影動作を行う（ステップＳＧ７〜ＳＧ１０）。
【００８１】
他方、ステップＳＧ２の判別結果がＹＥＳであって、前述した手順により新たな見本画像が取り込まれた後においては、図１６に示したような、見本画像があるシーン・フォルダを示すフォルダ選択画面３０１をＴＦＴ液晶モニター１５に表示するとともに（ステップＳＧ３）、使用者に所望のシーン・フォルダを選択させる。なお、図１６においては、例えば「デフォルト」がフォルダ「ＳＣＥＮＥ００」、「カスタム１」がフォルダ「ＳＣＥＮＥ０１」、「カスタム２」がフォルダ「ＳＣＥＮＥ０２」をそれぞれ示している。また、ここでのシーン・フォルダの選択操作は、前述した見本画像の選択と同様に、ズームボタン５４の［＋］と［−］やシャッターキー５３（決定キー）の操作によって行い、かつ所定の操作で複数のシーン・フォルダを同時に選択可能となっている。
【００８２】
そして、かかるフォルダ選択画面３０１から１又は複数のシーン・フォルダが選択されると（ステップＳＧ４でＹＥＳ）、選択された１又は複数のシーン・フォルダ内に保存されている全ての見本画像のデータを選択対象として設定する。すなわちそれらを示すインデックス・データを前記ＤＲＡＭ１７等に記憶する（ステップＳＧ５）。しかる後、シーンセレクトモードによる動作に移行し、続くステップＳＧ６では、上記の複数の見本画像を表示する選択画面２０２（図５参照）をＴＦＴ液晶モニター１５に表示した後、使用者に所望の見本画像を選択させ、選択された見本画像に対応する撮影条件による撮影動作を行う（ステップＳＧ７〜ＳＧ１０）。
【００８３】
したがって、本実施の形態においては、使用者は、ＣＤ−ＲＯＭ７４に記憶されている見本画像の中から予め自分が必要とする見本画像のみを、電子スチルカメラ１に取り込んでおき、それらを撮影条件の設定時に使用することができる。よって、他の実施の形態と同様に、見本画像の選択時の作業性を低下させることなく、一層見本画像の多様化を図ることが可能である。また、前述した第１及び第２に実施の形態と比べると、使用者が自分の好みに応じた見本画像だけを電子スチルカメラ１に取り込んでおき、それらを撮影条件の設定時に使用することができる。よって、使用者の好みに応じた見本画像の多様化を図ることができる点において顕著な効果が得られる。
【００８４】
さらには、自分が必要とする複数の見本画像を複数のシーン・フォルダに分けて記憶させておくことにより、撮影条件の設定に際しては、使用する見本画像をシーン・フォルダ毎に選択することができる。これにより、使用者はより多くの見本画像の中から所望とする見本画像を容易に探すことができる。よって、見本画像の選択時の作業性を低下させることなく、より一層見本画像の多様化を図ることが可能である。
【００８５】
なお、上記第３の実施の形態においては、ＣＤ−ＲＯＭ７４内の見本画像を使用者に個別に選択させるとともに、それを使用者が希望したＣＦカード２０のいずれかのシーン・フォルダにコピーする（電子スチルカメラ１に取り込む）ようにしたが以下のような構成としてもよい。例えば、ＣＤ−ＲＯＭ７４内のコピー対象となる見本画像を使用者に個別に選択させることなく、第１の実施の形態で説明したものと同様に、コピー対象となる見本画像の種別のみを選択させ、それに該当する見本画像だけを一括して、指定されたシーン・フォルダにコピーさせる構成としたり、さらには、コピー先のシーン・フォルダを種別毎に自動的に作成させる構成としてもよい。
【００８６】
また、同様にＣＤ−ＲＯＭ７４内のコピー対象となる見本画像を使用者に個別に選択させることなく、第２の実施の形態で説明したものと同様に、その時点の季節に該当する見本画像だけを自動的に選択し、それに該当する見本画像だけを一括して、指定されたシーン・フォルダにコピーさせる構成としたり、さらには、コピー先のシーン・フォルダを季節毎に自動的に作成させる構成としてもよい。
【００８７】
また、そうした構成を再使用する場合、コピー先のシーン・フォルダをＣＦカード２０等に、種別毎や季節毎に自動的に作成する動作は、電子スチルカメラ１側とパソコン６０側のいずれに行わせるようにしてもよい。
【００８８】
【発明の効果】
以上説明したように本発明においては、使用者が、カメラ装置の撮影条件記憶手段が記憶する互いに対をなす画像データ及び設定パラメータ、つまり撮影モードの設定に使用する見本画像の変更や追加を必要に応じて行うことができるようにした。よって、見本画像の選択時の作業性を低下させることなく、見本画像の多様化を図ることが可能となる。
【００８９】
さらに、使用者が、撮影モードの設定に使用する見本画像の追加を、見本画像により表される被写体の種別毎に一括して行うことができるようにしたことから、見本画像の追加作業を容易に行うことが可能となる。また、使用者が、撮影モードの設定に使用する見本画像の追加を、効率よく一括して行うことができるようにしたことから、見本画像の追加作業をより一層容易に行うことが可能となる。また、使用者が、所望する種別の見本画像や、その時々の季節に対応する被写体の見本画像を必要に応じて追加することができるようにしたことから、使い勝手がより一層向上する。
【００９０】
また、前記撮影条件記憶手段が使用者が使用の可否を選択可能な特定記憶領域を有し、この特定記憶領域に撮影モードの設定に使用する見本画像を記憶させ、それらの見本画像を必要なときにだけ使用することができるようにした。これによっても、見本画像の選択時の作業性を低下させることなく、一層見本画像の多様化を図ることが可能となる。
【００９１】
さらに、複数の見本画像を使用者に選択された特定記憶領域を単位として表示させることにより、使用者に、より多くの見本画像の中から所望の見本画像を効率的に選択させることができるようにした。よって、見本画像の選択時の作業性を低下させることなく、より一層見本画像の多様化を図ることが可能となる。
【図面の簡単な説明】
【図１】本発明の第１の実施の形態に係る電子スチルカメラの外観を示す図である。
【図２】同電子スチルカメラのブロック構成図である。
【図３】ＣＦカードにおけるデータ格納構造を示す概念図である。
【図４】電子スチルカメラにおけるシーンセレクトモードの選択時の動作を示すフローチャートである。
【図５】電子スチルカメラがシーンセレクトモードの選択時にＴＦＴ液晶モニターに表示する選択画面、及びその変化を示す図である。
【図６】本実施の形態に係るパーソナルコンピュータの概略を示すブロック図である。
【図７】ＣＤ−ＲＯＭにおけるデータ格納構造を示す概念図である。
【図８】パーソナルコンピュータにおける見本画像データのコピー作業動作を示すフローチャートである。
【図９】同コピー作業時の動作時における種別一括処理を示すフローチャートである。
【図１０】本発明の第２の実施の形態において、パーソナルコンピュータにおける見本画像データの他のコピー作業動作を示すフローチャートである。
【図１１】本発明の第３の実施の形態における、使用者の見本画像の取り込み作業にかかる手順を示す説明図である。
【図１２】電子スチルカメラが実行する準備処理に係る動作を示すフローチャートである。
【図１３】使用者による見本画像のコピー操作に伴うパーソナルコンピュータの動作を示すフローチャートである。
【図１４】使用者による見本画像のコピー操作に伴うパーソナルコンピュータの動作を示すフローチャートである。
【図１５】電子スチルカメラにおけるフォルダ選択モードでの動作を示すフローチャートである。
【図１６】フォルダ選択モードでＴＦＴ液晶モニターに表示されるフォルダ選択画面を示す図である。
【符号の説明】
１    電子スチルカメラ
３    ＭＰＵ
１７    ＤＲＡＭ
１８    ＭＲＯＭ
１９    カードドライブ
２０    ＣＦカード
６０    パソコン
６１    ＣＰＵ
６２    ＲＯＭ
６３    ＲＡＭ
６４    内蔵時計
７０    ハードディスク
７４    ＣＤ−ＲＯＭ
【図１】
0004288858.tif 000002
【図２】
0004288858.tif 000003
【図３】
0004288858.tif 000004
【図４】
0004288858.tif 000005
【図５】
0004288858.tif 000006
【図６】
0004288858.tif 000007
【図７】
0004288858.tif 000008
【図８】
0004288858.tif 000009
【図９】
0004288858.tif 000010
【図１０】
0004288858.tif 000011
【図１１】
0004288858.tif 000012
【図１２】
0004288858.tif 000013
【図１３】
0004288858.tif 000014
【図１４】
0004288858.tif 000015
【図１５】
0004288858.tif 000016
【図１６】
0004288858.tif 000017